(57)【要約】【課題】  レール表層の磁気的、電気的変化を測定することにより、シェリング（表面剥離）の発生を未然に防止することができる。【解決手段】レール検査装置において、レール１の表面の上方に配置される高感度磁気センサ２を有する測定器本体３と、この測定器本体３の近傍に配置され、前記レール１に微弱な磁場を付与する着磁装置４と、この着磁装置４の近傍に配置され、前記レール１の残留磁気を除去する消磁装置５とを具備する。【選択図】図１
2008111753.tif 000002
【特許請求の範囲】
【請求項１】
（ａ）レールの表面の上方に配置される高感度磁気センサを有する測定器本体と、
（ｂ）該測定器本体の近傍に配置され、前記レールに微弱な磁場を付与する着磁装置と、
（ｃ）該着磁装置の近傍に配置され、前記レールの残留磁気を除去する消磁装置とを具備することを特徴とするレール検査装置。
【請求項２】
（ａ）レールの表面の上方に配置される高感度磁気センサを具備する測定器本体と、
（ｂ）該測定器本体の回りに配置され、交番磁界を発生させることにより、前記レールに渦電流を生成させる信号発信用コイルとを具備することを特徴とするレール検査装置。
【請求項３】
請求項２記載のレール検査装置において、前記測定器本体と信号発信用コイルとの近傍に配置され、前記レールの残留磁気を除去する消磁装置とを具備することを特徴とするレール検査装置。
【請求項４】
（ａ）レールの表面の上方に配置される高感度磁気センサを有する測定器本体と、
（ｂ）前記レールに直流電流を供給する直流電源とを具備することを特徴とするレール検査装置。
【請求項５】
請求項１、２又は４記載のレール検査装置において、前記高感度磁気センサとして、高温超電導体を用いた超電導量子干渉素子（ＳＱＵＩＤ）を用いることを特徴とするレール検査装置。
【請求項６】
請求項１から５の何れか１項記載のレール検査装置が、検測車の下部に配置されることを特徴とするレール検査装置。
【請求項７】
請求項１から５の何れか１項記載のレール検査装置が、手押車の下部に配置されることを特徴とするレール検査装置。
【請求項８】
請求項６又は７記載のレール検査装置において、前記手押車の車輪が非磁性体からなることを特徴とするレール検査装置。
【請求項９】
請求項１から５の何れか１項記載のレール検査装置が、支持脚を有する定点測定装置であることを特徴とするレール検査装置。
【請求項１０】
請求項９記載のレール検査装置において、前記支持脚が非磁性体からなることを特徴とするレール検査装置。
【発明の詳細な説明】
【技術分野】
【０００１】
本発明は、レールの疲労度合を検査するレール検査装置に関するものである。
【背景技術】
【０００２】
図１２〜図１４はレール頭頂面の疲労損傷形態を示す写真であり、図１２には、レールの転がり接触疲労状態が示され、図１３には車輪空転やブレーキによる白色層（熱変態相）が形成された状態が示され、図１４には図１２や図１３を経て微小亀裂が発生した状態が示されている（下記非特許文献１参照）。
【０００３】
このように、微小亀裂の発生が進展して、シェリング（表面剥離）の発生へと移行する。
【０００４】
従来レールの疲労度合は、レールの目視によっており、５０μｍ以上の微小亀裂を検査するようにしており、熟練が要求されるものであった。
【０００５】
また、磁粉探傷用磁粉液を用意し、被探傷材としてのレールを磁化させながらその磁粉探傷用磁粉液を塗布し、磁粉模様に基づいてレールの探傷を行うようにしたもの（下記特許文献１）が開示されている。
【０００６】
なお、レール検査は、超音波測定が一般的である。
【特許文献１】特開２００１−２１５４０号公報
【非特許文献１】鉄道総研報告  Ｖｏｌ．１９，Ｎｏ．９，２００５．９  ｐｐ．１７−２２
【発明の開示】
【発明が解決しようとする課題】
【０００７】
しかしながら、上記した検査方法では、熟練を有するとともに、その検査に個人差が生じる。また、磁粉探傷によるものは、検査が面倒であり、効率が落ちるといった問題があった。
【０００８】
また、超音波測定によるレール検査では、疲労状態を確認することは困難である。
【０００９】
本発明は、上記状況に鑑みて、レール表層の磁気的、電気的変化を測定することにより、シェリング（表面剥離）の発生を未然に防止することができるレール検査装置を提供することを目的とする。
【課題を解決するための手段】
【００１０】
本発明は、上記目的を達成するために、
〔１〕レール検査装置において、レールの表面の上方に配置される高感度磁気センサを有する測定器本体と、この測定器本体の近傍に配置され、前記レールに微弱な磁場を付与する着磁装置と、この着磁装置の近傍に配置され、前記レールの残留磁気を除去する消磁装置とを具備することを特徴とする。
【００１１】
〔２〕レール検査装置において、レールの表面の上方に配置される高感度磁気センサを具備する測定器本体と、この測定器本体の回りに配置され、交番磁界を発生させることにより、前記レールに渦電流を生成させる信号発信用コイルとを具備することを特徴とする。
【００１２】
〔３〕上記〔２〕記載のレール検査装置において、前記測定器本体と信号発信用コイルとの近傍に配置され、前記レールの残留磁気を除去する消磁装置とを具備することを特徴とする。
【００１３】
〔４〕レール検査装置において、レールの表面の上方に配置される高感度磁気センサを有する測定器本体と、前記レールに直流電流を供給する直流電源とを具備することを特徴とする。
【００１４】
〔５〕上記〔１〕、〔２〕又は〔４〕記載のレール検査装置において、前記高感度磁気センサとして、高温超電導体を用いた超電導量子干渉素子（ＳＱＵＩＤ）を用いることを特徴とする。
【００１５】
〔６〕上記〔１〕から〔５〕の何れか１項記載のレール検査装置が、検測車の下部に配置されることを特徴とする。
【００１６】
〔７〕上記〔１〕から〔５〕の何れか１項記載のレール検査装置が、手押車の下部に配置されることを特徴とする。
【００１７】
〔８〕上記〔６〕又は〔７〕記載のレール検査装置において、前記手押車の車輪が非磁性体からなることを特徴とする。
【００１８】
〔９〕上記〔１〕から〔５〕の何れか１項記載のレール検査装置が、支持脚を有する定点測定装置であることを特徴とする。
【００１９】
〔１０〕上記〔９〕記載のレール検査装置において、前記支持脚が非磁性体からなることを特徴とする。
【発明の効果】
【００２０】
本発明によれば、鉄道用レール表層の磁気的、電気的変化を測定することにより、レールのシェリング（表面剥離）の発生を未然に防止することができる。
【発明を実施するための最良の形態】
【００２１】
本発明のレール検査装置において、レールの表面の上方に配置される高感度磁気センサを有する測定器本体と、この測定器本体の近傍に配置され、前記レールに微弱な磁場を付与する着磁装置と、この着磁装置の近傍に配置され、前記レールの残留磁気を除去する消磁装置とを具備する。
【実施例】
【００２２】
以下、本発明の実施の形態について詳細に説明する。
【００２３】
図１は本発明の第１実施例を示すレール検査装置の模式図、図２は図１に示すレール検査装置の右側面図である。
【００２４】
この図において、１はレール、１Ａはレール表層、３は高感度磁気センサ２を有する測定器本体、４はこの測定器本体３の下部のレール１に微弱な磁場を付与する着磁装置、５は着磁装置４の下部のレール１の残留磁気を除去する消磁装置である。このレール検査装置は、検測車６の下部に配置することができる。また、７は検測車６の車輪である。なお、検測車は手押車としてもよい、その際には、車輪は磁気的影響を受けない、非磁性体からなるものにするのが好適である。
【００２５】
なお、このレール検査装置は、図１１に示すように、支持脚を有する定点測定装置として構成するようにしてもよい。
【００２６】
レールは疲労するとレール組織の磁気的性質が変化する。その磁気的性質の微小変化を高感度磁気センサ２で捉える。その場合、レール材料は、レール１への通電などにより磁気を帯びているため、これを消磁装置５により消磁する。
【００２７】
その後、着磁装置４にて新たな微弱な磁場を付与する。そこで、その着磁した磁場分布を高感度磁気センサ２にて測定する。
【００２８】
その測定により、レールの疲労した部分の磁場はレールが疲労していない周囲とは異なるため、レールの疲労部分の検知が可能である。
【００２９】
図３は本発明の第２実施例を示すレール検査装置の模式図、図４は図３に示すレール検査装置の右側面図である。
【００３０】
この図において、１１はレール、１１Ａはレール表層、１３は高感度磁気センサ１２を有する測定器本体、１４はその測定器本体１３の回りに配置される信号発信用コイルである。なお、このレール検査装置は、検測車１５の下部に配置することができる。また、１６は検測車１５の車輪である。
【００３１】
このレール検査装置は、検測車１５の下部に配置することができる。また、１６は検測車１５の車輪である。なお、検測車は手押車としてもよく、その際には、車輪は磁気的影響を受けない、非磁性体から成るものにするのが好適である。
【００３２】
勿論、このレール検査装置は、図１１に示すように、支持脚を有する定点測定装置として構成するようにしてもよい。
【００３３】
上記したように、レール１１が疲労するとレール組織の電気的性質が変化するが、その電気的性質の微小変化を磁気的変化に変換し、高感度磁気センサ１２で捉える。
【００３４】
具体的には、信号発信用コイル１４にて、交番磁界を発生させる。信号発信用コイル１４による交番磁界により、レール表層に渦電流が発生する。この渦電流の作る磁界の大きさを高感度磁気センサ１２にて測定する。
【００３５】
なお、勿論、第２実施例においても、残留磁界の影響を除去するため、第１実施例と同様に、消磁装置を配置するようにしてもよい。
【００３６】
この渦電流法を用いたレール試料の測定例について説明する。
【００３７】
図５はレール試料の断面図、図６はその頭頂部の拡大部断面図、図７は疲労していない未使用のレール試料による疲労検査結果を示す図、図８は経年使用の実使用レール試料による疲労検査結果を示す図である。
【００３８】
これらの図において、２１はレールの脚部、２２はレールの頭頂部であり、そのレールの頭頂部２２は、例えば、頭頂平坦部２２Ｃ（２０ｍｍ〜５０ｍｍ）と、Ｒ部分（１０〜２０ｍｍ）２２Ｂと、エッジ部分（０〜１０ｍｍ）２２Ａとを有している。
【００３９】
図７においては、未使用レール試料を長手方向に４０ｍｍ、横断方向に３４ｍｍの２次元的に走査した。端部付近（図左側）の数箇所に誘導磁場の大きな部分（０．５〜０．１８３ｎＴ程度）があるが、これはエッジ効果によるものと思われる。それ以外のエリアでは誘導磁場分布は平坦であり、試料に異常のないことがわかる。
【００４０】
図８においては、実使用レール試料についてレール長さ１８ｍｍ、横断方向に５０ｍｍの２次元的走査を行った。
【００４１】
図７における未使用レールとの走査方向は異なっている。つまり、図８では実使用レールの横断方向に走査した。これによれば、レールのＲ部分でエッジの影響が出ており、上下のライン（低いｎＴ）に対応している。実使用レールでは、車輪が集中して通過するラインがあり、誘導磁場分布も対応したライン（幅方向４０．４０ｍｍ近傍に特に高いｎＴの誘導磁場が見受けられる。
【００４２】
なお、勿論、第２実施例においても、図９に示すように、残留磁界の影響を除去するため、第１実施例と同様に、消磁装置１７を配置するようにしてもよい。
【００４３】
このように構成すると、第２実施例に加えて、更にレールに流れている電流による磁界を除去することができる。
【００４４】
図１０は本発明の第３実施例を示すレール検査装置の模式図、図１１は図１０に示すレール検査装置の右側面図である。
【００４５】
この図において、３１はレール、３１Ａはレール表層、３３は高感度磁気センサ３２を有する測定器本体、３４はレール３１の表面に直流電流を通電するための直流電源である。
【００４６】
この実施例では、直流電源を接続する必要があるので、図１１に示すように、このレール検査装置の両側には支持脚３５を設けて、定点測定を行うことが望ましい。当然、非磁性体からなる車輪付きの手押車として構成してももよい。
【００４７】
上記したように、レール３１が疲労するとレール組織の電気的性質が変化するが、その電気的性質の微小変化を磁気的変化に変換し、高感度磁気センサ３２で捉える。
【００４８】
より具体的には、レール３１の表面に直接電流Ｉを通電する。その通電電流Ｉによる磁界がレール３１の表層に発生する。この通電電流Ｉによって生成される磁界を高感度磁気センサ３２にて測定する。
【００４９】
ここで、電気的に変化している部分の電流パスは健全部と異なるため、異常部を発見することが出来る。
【００５０】
なお、本発明は上記実施例に限定されるものではなく、本発明の趣旨に基づき種々の変形が可能であり、これらを本発明の範囲から排除するものではない。
【産業上の利用可能性】
【００５１】
本発明のレール検査装置は、簡単に誰でも使用できるレールの疲労度の検査装置として利用可能である。
【図面の簡単な説明】
【００５２】
【図１】本発明の第１実施例を示すレール検査装置の模式図である。
【図２】図１に示すレール検査装置の右側面図である。
【図３】本発明の第２実施例を示すレール検査装置の模式図である。
【図４】図３に示すレール検査装置の右側面図である。
【図５】レール試料の断面図である。
【図６】レール試料の頭頂部の拡大部断面図である。
【図７】疲労していない未使用のレール試料による疲労検査結果を示す図である。
【図８】経年使用の実使用レール試料による疲労検査結果を示す図である。
【図９】本発明の第２実施例の変形例を示す図である。
【図１０】本発明の第３実施例を示すレール検査装置の模式図である。
【図１１】図１０に示すレール検査装置の右側面図である。
【図１２】レールの転がり接触疲労状態を示めす図面代用としての写真である。
【図１３】車輪空転やブレーキによる白色層（熱変態相）が形成された状態を示めす図面代用としての写真である。
【図１４】図１２や図１３を経て微小亀裂が発生した状態を示めす図面代用としての写真である。
【符号の説明】
【００５３】
１，１１，３１    レール
１Ａ，１１Ａ，３１Ａ    レール表層
２，１２，３２    高感度磁気センサ
３，１３，３３    測定器本体
４    着磁装置
５，１７    消磁装置
６，１５    検測車
７，１６    車輪
１４    信号発信用コイル
２１    レールの脚部
２２    レールの頭頂部
２２Ａ    エッジ部分
２２Ｂ    Ｒ部分
２２Ｃ    頭頂平坦部
３４    直流電源
３５    支持脚
【図１】
2008111753.tif 000003
【図２】
2008111753.tif 000004
【図３】
2008111753.tif 000005
【図４】
2008111753.tif 000006
【図５】
2008111753.tif 000007
【図６】
2008111753.tif 000008
【図９】
2008111753.tif 000009
【図１０】
2008111753.tif 000010
【図１１】
2008111753.tif 000011
【図７】
2008111753.tif 000012
【図８】
2008111753.tif 000013
【図１２】
2008111753.tif 000014
【図１３】
2008111753.tif 000015
【図１４】
2008111753.tif 000016